(57)【要約】  本発明は、十分な縦長さのコンタクトレンズであって、眼に付けたときに、眼が垂直軸を中心に回転する場合、レンズの下部が眼と同じ程度に回転するのを眼の下円蓋によって防止し、眼が縦方向に移動する際に眼がレンズとは異なる縦の部分を通って並進し得るコンタクトレンズを説明する。【選択図】図１
2010527036.tif 000002
【特許請求の範囲】
【請求項１】
十分な縦長さのコンタクトレンズであって、
眼に付けたときに、前記眼が垂直軸を中心に回転する場合、前記レンズの下部が前記眼と同じ程度に回転するのを前記眼の下円蓋によって防止し、前記眼が縦方向に移動する際に前記眼が前記レンズとは異なる縦の部分を通って並進し得ることを特徴とするコンタクトレンズ。
【請求項２】
さらに、複数の矯正処方を具えることを特徴とする請求項１に記載のレンズ。
【請求項３】
２つの別個の矯正処方を有することを特徴とする請求項２に記載のレンズ。
【請求項４】
３つの別個の矯正処方を有することを特徴とする請求項２に記載のレンズ。
【請求項５】
さらに、前記別個の矯正処方間に少なくとも１つの遷移矯正処方を具えることを特徴とする請求項２に記載のレンズ。
【請求項６】
さらに、別個の矯正処方間に複数の遷移矯正処方を具えることを特徴とする請求項５に記載のレンズ。
【請求項７】
さらに、連続的に変化する矯正処方を具えることを特徴とする請求項１に記載のレンズ。
【請求項８】
さらに、前記レンズの扁平な下部を具えることを特徴とする請求項１に記載のレンズ。
【請求項９】
さらに、前記レンズの回転を防止する少なくとも１つのバラストゾーンを具えることを特徴とする請求項１に記載のレンズ。
【請求項１０】
さらに、第２の矯正処方を少なくとも部分的に囲む第１の矯正処方を具えることを特徴とする請求項１に記載のレンズ。
【請求項１１】
前記第１の矯正処方が、前記第２の矯正処方を完全に囲んでいることを特徴とする請求項１０に記載のレンズ。
【請求項１２】
さらに、前記第１の矯正処方及び前記第２の矯正処方間に遷移矯正処方を具えることを特徴とする請求項１０に記載のレンズ。
【請求項１３】
レンズの下部が眼の下円蓋に近接するような十分な大きさのコンタクトレンズであって、
ａ．前記円蓋に対して前記レンズを安定させるための前記レンズの扁平な下部と；
ｂ．前記レンズの縦方向に配置された複数の矯正処方と；
を具えることを特徴とするコンタクトレンズ。
【発明の詳細な説明】
【技術分野】
【０００１】
本発明は、概略的にコンタクトレンズに関する。
【背景技術】
【０００２】
コンタクトレンズは、視力矯正の典型的に一般的な方法である。眼鏡とは異なり、それはほとんど眼に見えず、長期間にわたって多くのバージョンを装着し得る。近年になって、眼に付けると回転しないコンタクトレンズが開発されており、近視とともに乱視を矯正するためのコンタクトレンズの使用が可能となっている。
【０００３】
都合の悪いことに、市販のコンタクトレンズは視力矯正のための優れた選択法であるが、１つの眼について１つの処方のみがなされ、遠近両用といった多処方の眼鏡でなされているように、装着者がコンタクトレンズの異なる部分を通して見ることで視力矯正の度合いを調整することが可能な実用的な方法が未だ開発されていない。その性質からして、コンタクトレンズは、装着者が眼を縦又は横に動かすにも拘わらず、それらが瞳孔の中心に位置するよう設計される。このため、市販のコンタクトレンズは、多処方を要する装着者のニーズに適していない。
【０００４】
多くの特許及び特許出願が、ベース部が厚くなっていることで、レンズが眼の下瞼を「キャッチする」ことで眼が下方に並進し、コンタクトレンズの異なる部分を通して見ることができるコンタクトレンズを提供することによって、このようなジレンマを扱おうとしている。都合の悪いことに、このようなアプローチは、多くの深刻な欠点を有している：分厚いレンズは不快であり、高齢者は一般にしっかりとした瞼を有しないことで、レンズを安定化させて並進し得るのに必要なサポートを与えられない。特許番号４，７０２，５７３で実施されているこのようなアイデアに関する１つのバリエーションは、下瞼に押し付けることでレンズ自身が変形しこれにより処方を変える、分厚い「ベース部」に依存する。このようなアプローチは、瞼の弾性の喪失がレンズの矯正処方を事実上変えるため、眼の下瞼に依存する他のレンズ構成と同じような困難に陥っている。
【０００５】
このため、眼がレンズのある部分から別の部分に並進し、レンズの異なる部分を通して見ることが可能なコンタクトレンズの必要性がある。本発明は、眼の下円蓋を利用してコンタクトレンズを安定化させることによって、このような並進を可能とし、レンズの別の部分への眼の並進が可能となる。本願発明のさらなる利点は、一部において以下の説明で説明され、一部において以下の説明から明らかとなり、又は本発明の実施によって学ばれよう。また、本発明の目的及び利点は、添付の特許請求の範囲で特に挙げられた手段及び組み合わせによって、理解且つ達成されよう。
【発明の概要】
【０００６】
簡潔に説明すると、本発明は、レンズの下部が、眼と下瞼との間の眼の下円蓋に乗る又はそれに近接する十分な大きさのコンタクトレンズを具える。使用者が下を見るときに、眼自身の方が結膜の下側の襞よりも下方に回転することで、眼がコンタクトレンズの異なる部分の間を並進し、これにより、コンタクトレンズの使用者が同一のコンタクトレンズで２以上の処方を使用し得る。
【０００７】
このため、本発明の目的は、複数の矯正処方を提供する１つのコンタクトレンズを提供することである。
【０００８】
また、本発明の目的は、眼の瞼に依存しない複数の焦点を具えて並進し得るレンズを提供することである。
【０００９】
本発明の他の目的、態様、及び利点が、添付図面とともに以下の説明を読むことで明らかとなろう。
【図面の簡単な説明】
【００１０】
添付図面は、本発明の原理の実際の適用のためにこれまで考えられた最良な形態に係る本発明の完全な実施例を示す。
【００１１】
【図１】図１は、眼に付けられたコンタクトレンズの断面図を示す。
【図２】図２は、眼が下方に回転する断面図を示す（すなわち、装着者が下を見る）。
【図３】図３は、眼に付けられたレンズを備えた眼の正面を示し、レンズの回転を防ぐための扁平な下端を示す。
【図４】図４は、回転を防ぐためのバラストゾーンを備えたレンズの正面を示す。
【図５】図５は、３つの代替的な矯正処方を示しており；図５ａは２つの異なる処方が直接的に隣接しており；図５ｂはそれらが中間又は段階的な処方によって遷移ゾーンによって離れている。図５ｃは一方の処方が他方の処方を囲んでいる２つの処方の実施例を示す。
【発明を実施するための形態】
【００１２】
好適な実施例では、図１に示すように、眼２００に付けたときに十分な縦長さを有し、レンズの下部１１０が、下瞼２２０と眼２００とが結膜２３０を介して結合される円蓋２１０に接触又は近接する、コンタクトレンズ１００が提供される。
【００１３】
レンズの装着者が下を見たときに、結膜２３０と眼２００との結合部のために、図２に示すように、瞳孔２３０程には円蓋２１０の位置は回転しない。レンズの下方への回転が円蓋２１０によって制限されているため、コンタクトレンズもまた瞳孔２３０程には回転しない。このため、眼が下方に回転すると、瞳孔がレンズの一点１２０からレンズの下方の点１３０に並進する。
【００１４】
本願発明の一実施例では、図３に示すように、コンタクトレンズ１００の下端が扁平形状となっており、眼２００の上を回転することを防ぐ。代替的な実施例では、図４に示すように、レンズの下部及び／又は上部の「バラストゾーン」１４０、１５０の使用により、レンズが回転するのを防止するが、これは、乱視を矯正する乱視用コンタクトレンズを使用する技術分野で良く知られている。また、ＡＣＵＶＵＥ（登録商標）ブランドの乱視用コンタクトレンズで使用される「Ｄｕａｌ  Ｔｈｉｎ  Ｚｏｎｅ  Ｄｅｓｉｇｎ」といった、当技術分野で知られる回転安定化の他の形式を使用してもよい。
【００１５】
眼があるレンズのある位置から別の位置に並進し得るため、レンズの垂直軸の異なる点に２、３又はそれ以上のはっきりと異なる処方をレンズに提供することが可能である。図５に示すように、レンズは、異なる処方用量を具えた２又はそれ以上のゾーン１６０、１７０を有している。これらのゾーンは、図５ａに示すように互いに直接的に隣接させることが可能であり、又は図５ｂに示すように中間処方又は一歩のゾーンから他のゾーンに連続的に変化する矯正処方を具えた遷移ゾーン１９０によって離してもよい。代替的に、レンズは、一方の処方用量から他方の処方用量に連続的な遷移を含めることができる（図示せず）。代替的な実施例では、図５ｃに示すように、１つの中央処方１６１が、別の処方１７１によって囲まれている。このような構成により、たとえレンズが眼の中で回転したとしても並進が可能となる。
【図１】
2010527036.tif 000003
【図２】
2010527036.tif 000004
【図３】
2010527036.tif 000005
【図４】
2010527036.tif 000006
【図５Ａ】
2010527036.tif 000007
【図５Ｂ】
2010527036.tif 000008
【図５Ｃ】
2010527036.tif 000009
【国際調査報告】
2010527036.tif 000010